(57)【要約】【課題】相対的に大きなトルクを生じることが可能な外回転式装置を提供する。【解決手段】外回転式装置１００の内部に少なくとも一個の外回転式電気機械３００をオフセットして装着する。外回転式電気機械３００の外殻は、ギアまたは摩擦輪を含み、同軸にドライブプーリー４０３が設置される。外回転式装置１００のブレーキードラム１０１は、内部にギアまたは摩擦輪を含み、リング状の内ドライブプーリー４０２とカップリングすることにより、変速伝動機能を構成する。【選択図】  図５
2011069493.tif 000002
【特許請求の範囲】
【請求項１】
内部に少なくとも一つの外回転式電気機械をオフセットして装着し、外回転式電気機械の外殻にギアまたは摩擦輪を含む同じ軸のドライブプーリーを設置し、ブレーキードラムの内部にギアまたは摩擦輪を含むリング状の内ドライブプーリーとカップリングすることにより、変速伝動機能を構成する外回転式装置であって、
オフセット部、外回転式電気機械及び伝動装置を備え、
外回転式装置において、中空殼体構成を有するブレーキードラムは二個の対称または非対称の内凹円盤状のハウジングにより構成され、または中空円筒状の殻体を有する二つの盤状のハウジングにより構成され、ハウジングの両側の中央部に別々に軸孔を設置し、別々に各軸孔の中に軸受を貫通し、個別に固定軸を設置することができ、ハウジングの両側の中央部にある軸孔は同軸に構成され、ブレーキードラムの内部にある固定軸はオフセット部と結合することにより、ハウジングにより構成したブレーキードラムが固定軸に沿って回転し、
オフセット部は、固定軸に結合し、ハウジングの両側の中央部にある軸孔を固定させ、同軸に構成され、延伸アームを有し、外回転式電気機械の固定された電気機械静止部にある電気機械軸の両端に結合し、オフセット部の構成は、
（１）オフセット部はＵ型に構成され、オフセット部を固定軸に結合する構成、または、
（２）オフセット部は口型に構成され、オフセット部を固定軸に結合する構成、または、
（３）オフセット部は一体式の固定軸により貫通され、ホイールの両側の中央部にある軸孔に設置し、及び固定軸を通過するブレーキードラムの内部の軸段に結合する構成、のうちのいずれか１つであり、
外回転式電気機械は、相対回転する電気機械回転部及び電気機械静止部等の電気機械を含み、電気機械軸及び貫通される電気機械静止部は固定され、外回転式電気機械の電気機械回転部は電気機械軸とカップリングして回転するとともに伝動装置を通して外回転式装置と相互に伝動し、
外回転式電気機械は、ブラシまたはブラシレスの直流または交流モータまたは発電気機械、更に同期または非同期またはステッピングモータまたは発電気機械のうちのいずれか１つであり、
外回転式電気機械の電源導線は、延伸アームに沿って導線孔の固定軸を経て外部に向かって延伸し、
伝動装置は、外回転式電気機械の電気機械回転部の側辺に設置するドライブプーリー及びブレーキードラムの内部に設置する固定軸を軸心とするリング状の内ドライブプーリーを含み、または外回転式電気機械の電気機械回転部の外殼の周辺にリング状の外ドライブプーリーを設置し、外回転式装置にリング状の内ドライブプーリーのうち少なくとも一方により構成され、ドライブプーリー及びリング状の内ドライブプーリー、またはリング状の外ドライブプーリー及びリング状の内ドライブプーリーのうち少なくとも一方は、ギアまたは摩擦輪により構成され、
伝動装置の伝動段数は少なくとも一段であり、
伝動装置の設置方式は、
（１）外回転式電気機械の電気機械回転部の片側に同じ軸のドライブプーリーを設置し、ブレーキードラムの内部と同側の固定軸を軸心としてリング状の内ドライブプーリーと相互にカップリングするように設置することにより、伝動装置を構成する方式、または、
（２）外回転式電気機械の電気機械回転部の両側に同じ軸のドライブプーリーを設置し、ブレーキードラムの両側に固定軸を軸心としてリング状の内ドライブプーリーを設置し、二セットのドライブプーリーが相互にカップリングすることにより、伝動装置を構成する方式、または、
（３）外回転式電気機械の電気機械回転部の外殼の周辺にリング状の外ドライブプーリーを設置し、及び外回転式装置の内環空間にリング状の内ドライブプーリーを設置し、二種類のドライブプーリーが相互にカップリングすることにより、伝動装置を構成する方式、または、
（４）上記（１）の伝動装置の設置方式及び上記（３）の伝動装置の設置方式により構成する方式、または、
（５）上記（２）の伝動装置の設置方式及び上記（３）の伝動装置の設置方式により構成する方式、
のうちのいずれか１つを採用し、
機械力を供給することにより外回転式電気機械を駆動する電気エネルギーを発生し、または外回転式電気機械の通電により発生する機械力により駆動されること、
を特徴とする外回転式装置。
【請求項２】
オフセット部は、Ｕ型に構成され、固定軸に結合し、
延伸アームの両端を外回転式電気機械の固定される電気機械静止部の電気機械軸の両端に結合し、
外回転式電気機械が外回転する電気機械回転部の片側にドライブプーリーを設置し、同側のブレーキードラムの内側にある固定軸を軸心として、リング状の内ドライブプーリーを設置し、二者がカップリングすることにより、伝動装置を構成し、
ドライブプーリー及びリング状の内ドライブプーリーは、ギアまたは摩擦輪により構成され、
伝動装置の伝動段数は少なくとも一段であること、
を特徴とする請求項１記載の外回転式装置。
【請求項３】
オフセット部は、口型に構成され、固定軸に結合し、
延伸アームの両端を外回転式電気機械の固定される電気機械静止部の電気機械軸の両端に結合し、
外回転式電気機械が外回転する電気機械回転部の両側にドライブプーリーを設置し、及び両側のブレーキードラムの内側にある固定軸を軸心としてリング状の内ドライブプーリーを設置し、二者がカップリングすることにより、伝動装置を構成し、
電気機械回転部の両側に設置するドライブプーリー及び両側のブレーキードラムの内側に設置するリング状の内ドライブプーリーは、ギアまたは摩擦輪により構成され、
伝動装置の伝動段数は少なくとも一段であること、
を特徴とする請求項１記載の外回転式装置。
【請求項４】
オフセット部は、一体式の固定軸により貫通され、ホイールの両側の中央部にある軸孔に設置し、固定軸を通過するブレーキードラムの内部の軸段に結合し、
延伸アームを外回転式電気機械の固定される電気機械静止部の電気機械軸の両端に結合し、
外回転電気機械の電気機械回転部の駆動軸とブレーキードラムの回転する固定軸を異なる軸にオフセットして装着し、電気機械回転部の片側にドライブプーリーを設置し、同側のブレーキードラムの内側にある固定軸を軸心としてリング状の内ドライブプーリーを設置し、二者がカップリングすることにより、伝動装置を構成し、
伝動装置の伝動段数は少なくとも一段であり、
固定軸を通過するブレーキードラムの内部の軸段にオフセット部を結合し、外部に向かって径方向に放射状に延伸する少なくとも一つのオフセット部により構成され、
少なくとも一つの外回転式電気機械を個別に設置し、個別の外回転式電気機械の電気機械回転部の同片側にドライブプーリーを個別に設置し、同辺側のブレーキードラムの内側にあるリング状の内ドライブプーリーとカップリングすることにより、複合的な電気機械と共同して駆動すること、
を特徴とする請求項１記載の外回転式装置。
【請求項５】
オフセット部は、Ｕ型に構成され、固定軸に結合し、
延伸アームの両端を外回転式電気機械の固定される電気機械静止部の電気機械軸の両端に結合し、
外回転式電気機械が外回転する電気機械回転部の両側にドライブプーリーを設置し、両側のブレーキードラムの内側にある固定軸を軸心としてリング状の内ドライブプーリーを設置し、
二者がカップリングすることにより、伝動装置を構成し、
電気機械回転部の両側に設置するドライブプーリー及び両側のブレーキードラムの内側にあるリング状の内ドライブプーリーは、ギアまたは摩擦輪により構成され、
伝動装置の伝動段数は少なくとも一段であること、
を特徴とする請求項１記載の外回転式装置。
【請求項６】
オフセット部は、口型に構成され、固定軸に結合し、
延伸アームの両端を外回転式電気機械の固定される電気機械静止部の電気機械軸の両端に結合し、
外回転式電気機械が外回転する電気機械回転部の両側にドライブプーリーを設置し、
両側のブレーキードラムの内側にある固定軸を軸心としてリング状の内ドライブプーリーを設置し、
二者がカップリングすることにより、伝動装置を構成し、
電気機械回転部の両側に設置するドライブプーリー及び両側のブレーキードラムの内側に設置するリング状の内ドライブプーリーは、ギアまたは摩擦輪により構成され、
伝動装置の伝動段数は少なくとも一段であること、
を特徴とする請求項１記載の外回転式装置。
【請求項７】
オフセット部は、一体式の固定軸により貫通され、ホイールの両側の中央部にある軸孔に設置し、固定軸を通過するブレーキードラムの内部の軸段に結合し、
延伸アームを外回転式電気機械の電気機械静止部の電気機械軸の両端に固定して結合し、
外回転電気機械の電気機械回転部の駆動軸とブレーキードラムの回転する固定軸を異なる軸にオフセットして装着し、
電気機械回転部の両側にドライブプーリーを設置し、
両側のブレーキードラムの内側にある固定軸を軸心としてリング状の内ドライブプーリーを設置し、
二者がカップリングすることにより、伝動装置を構成し、
電気機械回転部の両側に設置するドライブプーリー及び両側のブレーキードラムの内側に設置するリング状の内ドライブプーリーは、ギアまたは摩擦輪により構成され、
伝動装置の伝動段数は少なくとも一段であり、
固定軸を通過するブレーキードラムの内部の軸段にオフセット部を結合し、
外部に向かって径方向に放射状に延伸する少なくとも一個のオフセット部により構成され、少なくとも一個の外回転式電気機械を個別に設置し、
個別の外回転式電気機械の電気機械回転部の両側に、ドライブプーリーを個別に設置し、両側のブレーキードラムの内側のリング状の内ドライブプーリーとカップリングすることにより、複合的な電気機械と共同して駆動すること、
を特徴とする請求項１記載の外回転式装置。
【請求項８】
オフセット部は、Ｕ型に構成され、固定軸に結合し、
延伸アームの両端を外回転式電気機械の固定される電気機械静止部の電気機械軸の両端に結合し、
外回転式電気機械の電気機械回転部の駆動軸とブレーキードラムの回転する固定軸を異なる軸にオフセットして装着し、
電気機械回転部の外部に同じ軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
リング状の内ドライブプーリー及び同じ軸のリング状の外ドライブプーリーは、ギアまたは摩擦輪により構成され、
伝動装置の伝動段数は少なくとも一段であること、
を特徴とする請求項１記載の外回転式装置。
【請求項９】
オフセット部は、口型に構成され、固定軸に結合し、
延伸アームの両端を外回転式電気機械の固定される電気機械静止部にある電気機械軸の両端に結合し、
外回転式電気機械の電気機械回転部の駆動軸とブレーキードラムの転動する固定軸を異なる軸にオフセットして装着し、
電気機械回転部の外部に同軸にリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
リング状の内ドライブプーリー及び同軸のリング状の外ドライブプーリーは、ギアまたは摩擦輪により構成されることを含み、
伝動装置の伝動段数は少なくとも一段であること、
を特徴とする請求項１記載の外回転式装置。
【請求項１０】
オフセット部は、一体式の固定軸により貫通され、ホイールの両側の中央部にある軸孔に設置し、固定軸を通過するブレーキードラムの内部の軸段に結合し、
延伸アームを外回転式電気機械の固定される電気機械静止部にある電気機械軸の両端に結合し、
外回転式電気機械の電気機械回転部の駆動軸とブレーキードラムの回転する固定軸を異なる軸にオフセットして装着し、
電気機械回転部の外部に同じ軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
リング状の内ドライブプーリー及び同軸のリング状の外ドライブプーリーは、ギアまたは摩擦輪により構成され、
伝動装置の伝動段数は少なくとも一段であり、
固定軸を通過するブレーキードラムの内部の軸段にオフセット部を結合し、外部に向かって径方向に放射状に延伸する少なくとも一個のオフセット部により構成され、少なくとも一個の外回転式電気機械を個別に設置し、相対するドライブプーリーを設置し、共同にブレーキードラムの内部に設置するリング状の内ドライブプーリーとカップリングし、共同して外回転式装置を駆動する構成とすることにより、複合的な電気機械と共同して駆動する外回転式装置を構成すること、
を特徴とする請求項１記載の外回転式装置。
【請求項１１】
オフセット部は、Ｕ型に構成され、固定軸に結合し、
延伸アームの両端を外回転式電気機械の固定される電気機械静止部にある電気機械軸の両端に結合し、
外回転式電気機械が外回転する電気機械回転部の片側にドライブプーリーを設置し、同側のブレーキードラムの内側にある固定軸を軸心としてリング状の内ドライブプーリーを設置し、
二者がカップリングすることにより、伝動装置を構成し、
電気機械回転部の外部に同軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
ドライブプーリーとリング状の内ドライブプーリーとリング状の内ドライブプーリーと同じ軸のリング状の外ドライブプーリーは、ギアまたは摩擦輪により構成され、
伝動装置の伝動段数は少なくとも一段であること、
を特徴とする請求項１記載の外回転式装置。
【請求項１２】
オフセット部は、口型に構成され、固定軸に結合し、
延伸アームの両端を外回転式電気機械の固定される電気機械静止部の電気機械軸の両端に結合し、
外回転式電気機械が外回転する電気機械回転部の片側にドライブプーリーを設置し、
同側のブレーキードラムの内側にある固定軸を軸心としてリング状の内ドライブプーリーを設置し、
二者がカップリングすることにより、伝動装置を構成し、
電気機械回転部の外部に同じ軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
ドライブプーリーとリング状の内ドライブプーリーとリング状の内ドライブプーリーと同軸のリング状の外ドライブプーリーとは、ギアまたは摩擦輪により構成され、
伝動装置の伝動段数は少なくとも一段であること、
を特徴とする請求項１記載の外回転式装置。
【請求項１３】
オフセット部は、一体式の固定軸により貫通され、ホイールの両側の中央部にある軸孔に設置し、固定軸を通過するブレーキードラムの内部の軸段に結合し、
延伸アームを外回転式電気機械の固定される電気機械静止部にある電気機械軸の両端に結合し、外回転電気機械の電気機械回転部の駆動軸とブレーキードラムの回転する固定軸を異なる軸にオフセットして装着し、
電気機械回転部の片側にドライブプーリーを設置し、
同側のブレーキードラムの内側にある固定軸を軸心としてリング状の内ドライブプーリーを設置し、
二者がカップリングすることにより、伝動装置を構成し、
電気機械回転部の外部に同軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
ドライブプーリーとリング状の内ドライブプーリーとリング状の内ドライブプーリーと同軸のリング状の外ドライブプーリーとは、ギアまたは摩擦輪により構成され、
伝動装置の伝動段数は少なくとも一段であり、
固定軸を通過するブレーキードラムの内部の軸段にオフセット部を結合し、外部に向かって径方向に放射状に延伸する少なくとも一個のオフセット部により構成され、
少なくとも一個の外回転式電気機械を個別に設置し、外回転式電気機械の電気機械回転部の同片側にドライブプーリーを個別に設置し、共同に同辺に設置されるブレーキードラムの内側にあるリング状の内ドライブプーリーとカップリングし、外回転式電気機械の電気機械回転部の外部に同軸のリング状の外ドライブプーリーを個別に設置し、共同して外回転式装置の径方向の内環空間に設置するリング状の内ドライブプーリーとカップリングすることにより、複合的な電気機械と共同して駆動する外回転式装置を構成すること、
を特徴とする請求項１記載の外回転式装置。
【請求項１４】
オフセット部は、Ｕ型に構成され、固定軸に結合し、
延伸アームの両端を外回転式電気機械の固定される電気機械静止部の電気機械軸の両端に結合し、
外回転式電気機械が外回転電気機械の電気機械回転部の両側にドライブプーリーを設置し、両側のブレーキードラムの内側にある固定軸を軸心としてリング状の内ドライブプーリーを設置し、
二者がカップリングすることにより、伝動装置を構成し、
電気機械回転部の外部に同軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置構成し、
ドライブプーリーとリング状の内ドライブプーリーとリング状の内ドライブプーリーと同軸のリング状の外ドライブプーリーとは、ギアまたは摩擦輪により構成され、
伝動装置の伝動段数は少なくとも一段であること、
を特徴とする請求項１記載の外回転式装置。
【請求項１５】
オフセット部は、口型に構成され、固定軸に結合し、
延伸アームの両端を外回転式電気機械の固定される電気機械静止部にある電気機械軸の両端に結合し、
外回転式電気機械が外回転する電気機械回転部の両側にドライブプーリーを設置し、両側のブレーキードラムの内側にある固定軸を軸心としてリング状の内ドライブプーリーを設置し、
二者がカップリングすることにより、伝動装置を構成し、
電気機械回転部の外部に同軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
ドライブプーリーとリング状の内ドライブプーリーとリング状の内ドライブプーリーと同軸のリング状の外ドライブプーリーとは、ギアまたは摩擦輪により構成され、
伝動装置の伝動段数は少なくとも一段であること、
を特徴とする請求項１記載の外回転式装置。
【請求項１６】
オフセット部は、一体式の固定軸により貫通され、ホイールの両側の中央部にある軸孔に設置し、固定軸を通過するブレーキードラムの内部の軸段に結合し、
延伸アームを外回転式電気機械の固定される電気機械静止部にある電気機械軸の両端に結合し、
外回転電気機械の電気機械回転部の駆動軸とブレーキードラムの回転する固定軸を異なる軸にオフセットして装着し、
電気機械回転部の両側にドライブプーリーを設置し、両側のブレーキードラムの内側にある固定軸を軸心としてリング状の内ドライブプーリーを設置し、
二者がカップリングすることにより、伝動装置を構成し、
電気機械回転部の外部に同軸のリング状の外ドライブプーリーを設置し、外回転式装置の径方向の内環空間に設置するリング状の内ドライブプーリーとカップリングすることにより、外回転式電気機械の電気機械回転部と外回転式装置間の伝動装置を構成し、
ドライブプーリーとリング状の内ドライブプーリーとリング状の内ドライブプーリーと同軸のリング状の外ドライブプーリーとは、ギアまたは摩擦輪により構成され、
伝動装置の伝動段数は少なくとも一段であり、
固定軸を通過するブレーキードラムの内部の軸段にオフセット部を結合し、外部に向かって径方向に放射状に延伸する少なくとも一個のオフセット部により構成され、
少なくとも一個の外回転式電気機械を個別に設置し、
個別の外回転式電気機械の電気機械回転部の両側に、ドライブプーリーを個別に設置し、共同に両側に設置されるブレーキードラムの内側にあるリング状の内ドライブプーリーとカップリングし、外回転式電気機械の電気機械回転部の外部に同じ軸のリング状の外ドライブプーリーを個別に設置し、共同して外回転式装置の径方向の内環空間に設置するリング状の内ドライブプーリーとカップリングすることにより、複合的な電気機械と共同して駆動する外回転式装置を構成すること、
を特徴とする請求項１記載の外回転式装置。
【請求項１７】
外回転式電気機械とブレーキードラムは、通風冷却可能な密閉式または開放式であり、
外回転式電気機械及びブレーキードラムのうちのいずれか一方は開放式構成であること、または、
外回転式電気機械及びブレーキードラムの二者は共に密閉式であること、または、
外回転式電気機械及びブレーキードラムの二者は共に開放式であること、
を特徴とする請求項１記載の外回転式装置。
【発明の詳細な説明】
【技術分野】
【０００１】
本発明は、外回転式装置に関し、特に、外回転式電気機械のオフセット装着により駆動される外回転式装置に関する。
【背景技術】
【０００２】
従来の装置は、回転電気機械により、外回転式装置を直接駆動する構成である。このような回転電気機械により外回転式装置を直接駆動する従来の構成では、モータ本体の駆動トルクに制限されているために、大きなトルクを生じることができないという欠点があった。
【発明の概要】
【発明が解決しようとする課題】
【０００３】
本発明の目的は、相対的に大きなトルクを生じることが可能な外回転式装置を提供することにある。
【課題を解決するための手段】
【０００４】
本発明の外回転式装置では、外回転式装置の内部に少なくとも一個の外回転式電気機械をオフセットして装着する。外回転式電気機械の外殻は、ギアまたは摩擦輪を含み、ドライブプーリーを同軸に設置し、外回転式装置のブレーキードラムは、内部にギアまたは摩擦輪を含み、リング状の内ドライブプーリーとカップリングすることにより、変速伝動機能を構成する。
【０００５】
このように、本発明の外回転式装置は、外回転式電気機械を駆動する機械力を供給し、これにより電気エネルギーを生成する。また、本発明の外回転式装置は、外回転式電気機械への通電により、外回転式装置を駆動する機械力を発生する。
【図面の簡単な説明】
【０００６】
【図１】外回転式電気機械の外殼の片側にドライブプーリー（４０３）を設置し、またブレーキードラム（１０１）の片側にリング状の内ドライブプーリー（４０２）を設置する、本発明の第１実施形態の外回転式装置の断面図である。
【図２】図１の二点鎖線における断面図である。
【図３】外回転式電気機械の外殼の片側にドライブプーリー（４０３）を設置し、またブレーキードラム（１０１）の片側にリング状の内ドライブプーリー（４０２）を設置する、本発明の第２実施形態の外回転式装置の断面図である。
【図４】図３の一点鎖線における断面図である。
【図５】外回転式電気機械の外殼の片側にドライブプーリー（４０３）を設置し、またブレーキードラム（１０１）の片側にリング状の内ドライブプーリー（４０２）を設置する、本発明の第３実施形態の外回転式装置の断面図である。
【図６】図５の二点鎖線における断面図である。
【図７】外回転式電気機械の外殻の両側にドライブプーリー（４０３）を設置し、両側のブレーキードラム（１０１）の内部にリング状の内ドライブプーリー（４０２）を設置する、本発明の第４実施形態の外回転式装置の断面図である。
【図８】図７の二点鎖線における断面図である。
【図９】外回転式電気機械の外殻の両側にドライブプーリー（４０３）を設置し、両側のブレーキードラム（１０１）の内部にリング状の内ドライブプーリー（４０２）を設置する、本発明の第５実施形態の外回転式装置の断面図である。
【図１０】図９に示した二点鎖線における断面図である。
【図１１】外回転式電気機械の外殻の両側にドライブプーリー（４０３）を設置し、両側のブレーキードラム（１０１）の内部にリング状の内ドライブプーリー（４０２）を設置する、本発明の第６実施形態の外回転式装置の断面図である。
【図１２】図１１に示した二点鎖線における断面図である。
【図１３】外回転式電気機械（３００）の電気機械回転部の外殼の周辺にリング状の外ドライブプーリー（４１３）を設置し、及び外回転式装置（１００）にリング状の内ドライブプーリー（４１２）を設置する、本発明の第７実施形態の外回転式装置の断面図である。
【図１４】図１３に示した一点鎖線における断面図である。
【図１５】外回転式電気機械（３００）の電気機械回転部の外殼の周辺にリング状の外ドライブプーリー（４１３）を設置し、及び外回転式装置（１００）にリング状の内ドライブプーリー（４１２）を設置する、本発明の第８実施形態の外回転式装置の断面図である。
【図１６】図１５に示した一点鎖線における断面図である。
【図１７】外回転式電気機械（３００）の電気機械回転部の外殼の周辺にリング状の外ドライブプーリー（４１３）を設置し、及び外回転式装置（１００）にリング状の内ドライブプーリー（４１２）を設置する、本発明の第９実施形態の外回転式装置の断面図である。
【図１８】図１７に示した一点鎖線における断面図である。
【図１９】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の片側にドライブプーリーを設置する、本発明の第１０実施形態の外回転式装置の断面図である。
【図２０】図１９に示した一点鎖線における断面図である。
【図２１】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の片側にドライブプーリーを設置する、本発明の第１１実施形態の外回転式装置の断面図である。
【図２２】図２１に示した一点鎖線における断面図である。
【図２３】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の片側にドライブプーリーを設置する、本発明の第１２実施形態の外回転式装置の断面図である。
【図２４】図２３に示した一点鎖線における断面図である。
【図２５】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の両側にドライブプーリーを設置する、本発明の第１３実施形態の外回転式装置の断面図である。
【図２６】図２５に示した一点鎖線における断面図である。
【図２７】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の両側にドライブプーリーを設置する、本発明の第１４実施形態の外回転式装置の断面図である。
【図２８】図２７に示した一点鎖線における断面図である。
【図２９】外回転式電気機械（３００）の電気機械回転部の外殼の周辺にリング状の外ドライブプーリー（４１３）を設置し、また外回転式装置（１００）にリング状の内ドライブプーリー（４１２）を設置し、及びブレーキードラム（１０１）と外回転式電気機械の外殻の両側にドライブプーリーを設置する、本発明の第１５実施形態の外回転式装置の断面図である。
【図３０】図２９に示した一点鎖線における断面図である。
【発明を実施するための形態】
【０００７】
以下、本発明の実施形態を図１〜図３０に基づいて説明する。
（第１実施形態）
本発明の外回転式装置は、主に、オフセット部、外回転式電気機械及び伝動装置等により構成される。
【０００８】
（外回転式装置１００）
外回転式装置１００において、中空殼体構成を持つブレーキードラム１０１は、二個の対称または非対称の内凹円盤状のハウジングにより構成される、または、中空円筒状の殻体を有する二つの盤状のハウジングにより構成される。
ハウジングの両側の中央部には、軸孔１０２が設けられている。各軸孔１０２の中には、それぞれ、固定軸１０４が個別に貫通する軸受１０３が設けられている。これにより、ハウジングの中央部の両側にある軸孔１０２は同軸に構成される。
ブレーキードラム１０１の内部にある固定軸１０４はオフセット部２００と結合することにより、ハウジングにより構成したブレーキードラム１０１は、固定軸１０４に沿って回転することができる。
【０００９】
（オフセット部２００）
オフセット部２００は、固定軸１０４に結合し、ハウジングの両側の中央部にある軸孔１０２を固定させ、同軸状態を呈す。オフセット部２００は、外回転式電気機械３００の固定される電気機械静止部３１１にある電気機械軸３０１の両端に結合する延伸アーム１０５を有する。
【００１０】
オフセット部の構成は、
１）オフセット部２００はＵ型に構成され、オフセット部２００を固定軸１０４に結合する構成、または
２）オフセット部２００は口型に構成され、オフセット部２００を固定軸１０４に結合する構成、または、
３）オフセット部２００は一体式の固定軸１０４により貫通され、ホイールの両側の中央部にある軸孔１０２に設置し、固定軸１０４を通過するブレーキードラム１０１の内部の軸段に結合する構成、
を含む。
【００１１】
（外回転式電気機械３００）
外回転式電気機械３００は、相対して回転する電気機械回転部３１２及び電気機械静止部３１１等の電気機械を有する。その中にある電気機械軸３０１及び貫通される電気機械静止部３１１は固定され、その外回転式運転の電気機械回転部３１２は電気機械軸３０１とカップリングして回転し、及び伝動装置を通して外回転式装置１００と相互に伝動する。
【００１２】
外回転式電気機械３００はブラシまたはブラシレスの直流または交流モータまたは発電気機械、更に同期または非同期またはステッピングモータまたは発電気機械をニーズにより選択することができる。外回転式電気機械３００の電源導線３２０は延伸アーム１０５に沿って、導線孔の固定軸１０４を経て外部に向かって延伸する。
【００１３】
（伝動装置）
伝動装置は、外回転式電気機械３００の電気機械回転部３１２の側辺に設置するドライブプーリー４０３及びブレーキードラム１０１の内部に設置する固定軸１０４を軸心とするリング状の内ドライブプーリー４０２を含む。
【００１４】
または電気機械回転部の外殼の周辺にリング状の外ドライブプーリー４１３を設置し、及び外回転式装置１００にリング状の内ドライブプーリー４１２のうち少なくとも一方により構成され、上述のドライブプーリー４０３及びリング状の内ドライブプーリー４０２、またはリング状の外ドライブプーリー４１３及びリング状の内ドライブプーリー４１２のうち少なくとも一方は、ギアまたは摩擦輪により構成されることを選択することができる。
上述の伝動装置の伝動段数は一段または一段以上にすることができる。
【００１５】
伝動装置の設置方式は、
（１）外回転式電気機械３００にある電気機械回転部３１２の片側に同じ軸のドライブプーリー４０３を設置し、ブレーキードラム１０１の内部と同側の固定軸１０４を軸心としてリング状の内ドライブプーリー４０２と相互にカップリングするように設置することにより、伝動装置を構成する設置方式、または、
（２）外回転式電気機械３００にある電気機械回転部３１２の両側に同じ軸のドライブプーリー４０３を設置し、ブレーキードラム１０１の両側に固定軸１０４を軸心としてリング状の内ドライブプーリー４０２を設置し、二セットのドライブプーリーが相互にカップリングすることにより、伝動装置を構成する設置方式、または、
（３）外回転式電気機械３００にある電気機械回転部３１２の外殼の周辺にリング状の外ドライブプーリー４１３を設置し、及び外回転式装置１００の内環空間にリング状の内ドライブプーリー４１２を設置し、二種類のドライブプーリーが相互にカップリングすることにより、伝動装置を構成する設置方式、または、
（４）上述の（１）と（３）とを同時に設置する設置方式、または
（５）上述の（２）と（３）とを同時に設置する設置方式、
である。
【００１６】
図１〜図６に示したのは外回転式電気機械３００にある電気機械回転部３１２の片側に同じ軸のドライブプーリー４０３を設置し、ブレーキードラム１０１の内部と同側の固定軸１０４を軸心としてリング状の内ドライブプーリー４０２と相互にカップリングするように設置して伝動する。
本項の伝動方式は色々な異なるオフセット部２００へ応用することができることを説明する。
【００１７】
図１〜図６の中に示したオフセット部２００の形態は、以下のいずれかの方式により構成される。
外回転式電気機械の外殻の片側にドライブプーリー４０３を設置し、ブレーキードラム１０１の片側にリング状の内ドライブプーリー４０２を設置する、本発明の第１実施形態を図１に示す。図２は、図１の二点鎖線における断面図である。
【００１８】
図１及び図２の中に示したオフセット部２００はＵ型に構成され、オフセット部２００を固定軸１０４に結合する。その延伸アーム１０５の両端を外回転式電気機械３００の固定される電気機械静止部３１１にある電気機械の軸３０１の両端に結合する。また外回転式電気機械３００が外回転する電気機械回転部３１２の片側にドライブプーリー４０３を設置し、及び同側のブレーキードラム１０１の内側にある固定軸１０４を軸心として、リング状の内ドライブプーリー４０２を設置し、二者がカップリングすることにより、伝動装置を構成する。上述のドライブプーリー４０３及びリング状の内ドライブプーリー４０２は、ギアまたは摩擦輪により構成されることを含む。上述の伝動装置の伝動段数は一段または一段以上にすることができる。
【００１９】
（第２実施形態）
外回転式電気機械の外殻の片側に設置ドライブプーリー４０３、ブレーキードラム１０１の片側にリング状の内ドライブプーリー４０２を設置する、本発明の第２実施形態を図３に示す。図４は本発明の図３に示した実施形態の断面図である。
図３及び図４の中に示したオフセット部２００は口型に構成され、オフセット部２００を固定軸１０４に結合する。その延伸アーム１０５の両端を外回転式電気機械３００の固定される電気機械静止部３１１にある電気機械の軸３０１の両端に結合する。
【００２０】
また外回転式電気機械３００が外回転する電気機械回転部３１２の片側にドライブプーリー４０３を設置し、及び同側のブレーキードラム１０１の内側にある固定軸１０４を軸心として、リング状の内ドライブプーリー４０２を設置し、二者がカップリングすることにより、伝動装置を構成する。上述のドライブプーリー４０３及びリング状の内ドライブプーリー４０２は、ギアまたは摩擦輪により構成されることを含む。上述の伝動装置の伝動段数は一段または一段以上にすることができる。
【００２１】
（第３実施形態）
外回転式電気機械の外殻の片側にドライブプーリー４０３を設置し、またブレーキードラム１０１の片側にリング状の内ドライブプーリー４０２を設置する、本発明の第３実施形態を図５に示す。図６は本発明の図５に示した実施形態の断面図である。
図５及び図６の中に示したオフセット部２００は一体式の固定軸１０４により貫通され、ホイールの両側の中央部にある軸孔１０２に設置し、及び固定軸１０４を通過するブレーキードラム１０１の内部の軸段にオフセット部２００を結合し、オフセット部２００の延伸アーム１０５を外回転式電気機械３００の固定される電気機械静止部３１１にある電気機械の軸３０１の両端に結合する。
【００２２】
外回転を示す電気機械回転部３１２の駆動軸とブレーキードラム１０１の転動する固定軸１０４を異なる軸にオフセットして装着し、電気機械回転部３１２の片側にドライブプーリー４０３を設置し、及び同側のブレーキードラム１０１の内側にある固定軸１０４を軸心としてリング状の内ドライブプーリー４０２を設置し、二者がカップリングすることにより、伝動装置を構成する。上述の伝動装置の伝動段数は一段または一段以上にすることができる。
【００２３】
上述の固定軸１０４を通過するブレーキードラム１０１の内部の軸段にオフセット部２００を結合し、一個または一個以上の外部に向かって径方向に放射状に延伸するオフセット部２００により構成されることができる。一個または一個以上の外回転式電気機械３００を個別に設置し、及び個別の外回転式電気機械の電気機械回転部３１２の同片側にドライブプーリー４０３を個別に設置し、共同に同辺側のブレーキードラム１０１の内側にあるリング状の内ドライブプーリー４０２とカップリングすることにより、複合的な電気機械と共同して駆動する外回転式装置を構成する。
【００２４】
図７〜図１２に示した外回転式電気機械３００の電気機械回転部３１２の両側に同じ軸のドライブプーリー４０３を設置し、ブレーキードラム１０１の内部の両側にある固定軸１０４を軸心としてリング状の内ドライブプーリー４０２と相互にカップリングするように設置して伝動する。本伝動方式は色々な異なるオフセット部２００へ応用することができることを説明する。
図７〜図１２の中に示したオフセット部２００の形態は、以下のいずれかの方式により構成されることを示す。
【００２５】
（第４実施形態）
外回転式電気機械の外殻の両側にドライブプーリー４０３を設置し、両側ブレーキードラム１０１の内部にリング状の内ドライブプーリー４０２を設置する、本発明の第４実施形態を図７に示す。図８は本発明の図７に示した実施形態の断面図である。
図７及び図８の中に示したオフセット部２００はＵ型に構成され、オフセット部２００を固定軸１０４に結合する。その延伸アーム１０５の両端を外回転式電気機械３００の固定される電気機械静止部３１１にある電気機械の軸３０１の両端に結合する。
【００２６】
また、外回転式電気機械３００が外回転する電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する；上述の電気機械回転部３１２の両側に設置するドライブプーリー４０３及び両側のブレーキードラム１０１の内側にあるリング状の内ドライブプーリー４０２は、ギアまたは摩擦輪により構成されることを含む。上述の伝動装置の伝動段数は一段または一段以上にすることができる。
【００２７】
（第５実施形態）
外回転式電気機械の外殻の両側にドライブプーリー４０３を設置し、両側ブレーキードラム１０１の内部にリング状の内ドライブプーリー４０２を設置する、本発明の第５実施形態を図９に示す。図１０は本発明の図９に示した実施形態の断面図である。
図９及び図１０の中に示したオフセット部２００は口型に構成され、オフセット部２００を固定軸１０４に結合する。その延伸アーム１０５の両端を外回転式電気機械３００の固定される電気機械静止部３１１にある電気機械の軸３０１の両端に結合する。
【００２８】
また、外回転式電気機械３００が外回転する電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する；上述の電気機械回転部３１２の両側に設置するドライブプーリー４０３及び両側のブレーキードラム１０１の内側に設置するリング状の内ドライブプーリー４０２は、ギアまたは摩擦輪により構成されることを含む。上述の伝動装置の伝動段数は一段または一段以上にすることができる。
【００２９】
（第６実施形態）
外回転式電気機械の外殻の両側にドライブプーリー４０３を設置し、両側ブレーキードラム１０１の内部にリング状の内ドライブプーリー４０２を設置する、本発明の第６実施形態を図１１に示す。図１２は本発明の図１１に示した実施形態の断面図である。
図１１及び図１２の中に示したオフセット部２００は一体式の固定軸１０４により貫通され、ホイールの両側の中央部にある軸孔１０２に設置し、及び固定軸１０４を通過するブレーキードラム１０１の内部の軸段にオフセット部２００を結合し、オフセット部２００の延伸アーム１０５を外回転式電気機械３００の電気機械静止部３１１にある電気機械の軸３０１の両端に固定して結合する。
【００３０】
外回転を示す電気機械回転部３１２の駆動軸とブレーキードラム１０１の転動する固定軸１０４を異なる軸にオフセットして装着し、電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する。上述の電気機械回転部３１２の両側に設置するドライブプーリー４０３及び両側のブレーキードラム１０１の内側に設置するリング状の内ドライブプーリー４０２は、ギアまたは摩擦輪により構成されることを含む。上述の伝動装置の伝動段数は一段または一段以上にすることができる。
【００３１】
上述の固定軸１０４を通過するブレーキードラム１０１の内部の軸段にオフセット部２００を結合し、一個または一個以上の外部に向かって径方向に放射状に延伸するオフセット部２００により構成されることができる。一個または一個以上の外回転式電気機械３００を個別に設置し、及び個別の外回転式電気機械の電気機械回転部３１２の両側に、ドライブプーリー４０３を個別に設置し、共同に両側のブレーキードラム１０１の内側のリング状の内ドライブプーリー４０２とカップリングすることにより、複合的な電気機械と共同して駆動する外回転式装置を構成する。
【００３２】
（第７実施形態）
外回転式電気機械３００の電気機械回転部の外殼の周辺にリング状の外ドライブプーリー４１３を設置し、及び外回転式装置１００のリング状の内ドライブプーリー４１２に設置する、本発明の第７実施形態を図１３に示す。図１４は本発明の図１３に示した実施形態の断面図である。
図１３及び図１４の中に示したオフセット部２００はＵ型に構成され、オフセット部２００を固定軸１０４に結合する。その延伸アーム１０５の両端を外回転式電気機械３００の固定される電気機械静止部３１１にある電気機械の軸３０１の両端に結合する。
【００３３】
また、電気機械回転部３１２の駆動軸とブレーキードラム１０１の転動する固定軸１０４を異なる軸にオフセットして装着し、電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のリング状の内ドライブプーリー４１２及び同じ軸のリング状の外ドライブプーリー４１３は、ギアまたは摩擦輪により構成されることを含む。上述の伝動装置の伝動段数は一段または一段以上にすることができる。
【００３４】
（第８実施形態）
外回転式電気機械３００の電気機械回転部の外殼の周辺にリング状の外ドライブプーリー４１３を設置し、及び外回転式装置１００にリング状の内ドライブプーリー４１２を設置する、本発明の第８実施形態を図１５に示す。図１６は本発明の図１５に示した実施形態の断面図である。
図１５及び図１６の中に示したオフセット部２００は口型に構成され、オフセット部２００を固定軸１０４に結合する。その延伸アーム１０５の両端を外回転式電気機械３００の固定される電気機械静止部３１１にある電気機械の軸３０１の両端に結合する。
【００３５】
また、電気機械回転部３１２の駆動軸とブレーキードラム１０１の転動する固定軸１０４を異なる軸にオフセットして装着し、電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のリング状の内ドライブプーリー４１２及び同じ軸のリング状の外ドライブプーリー４１３は、ギアまたは摩擦輪により構成されることを含む。上述の伝動装置の伝動段数は一段または一段以上にすることができる。
【００３６】
（第９実施形態）
外回転式電気機械３００の電気機械回転部の外殼の周辺にリング状の外ドライブプーリー４１３を設置し、及び外回転式装置１００にリング状の内ドライブプーリー４１２を設置する、本発明の第９実施形態を図１７に示す。図１８は本発明の図１７に示した実施形態の断面図である。
図１７及び図１８の中に示したオフセット部２００は一体式の固定軸１０４により貫通され、ホイールの両側の中央部にある軸孔１０２に設置し、及び固定軸１０４を通過するブレーキードラム１０１の内部の軸段にオフセット部２００を結合し、オフセット部２００の延伸アーム１０５を外回転式電気機械３００の固定される電気機械静止部３１１にある電気機械の軸３０１の両端に結合する。
【００３７】
電気機械回転部３１２の駆動軸とブレーキードラム１０１の転動する固定軸１０４を異なる軸にオフセットして装着し、電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のリング状の内ドライブプーリー４１２及び同じ軸のリング状の外ドライブプーリー４１３は、ギアまたは摩擦輪により構成されることを含む。上述の伝動装置の伝動段数は一段または一段以上にすることができる。
【００３８】
上述の固定軸１０４を通過するブレーキードラム１０１の内部の軸段にオフセット部２００を結合し、一個または一個以上の外部に向かって径方向に放射状に延伸するオフセット部２００により構成されることができる。一個または一個以上の外回転式電気機械３００を個別に設置し、及び相対するドライブプーリー４０３を設置し、共同にブレーキードラムの内部に設置するリング状の内ドライブプーリーとカップリングし、共同して外回転式装置を駆動するを構成することにより、複合的な電気機械と共同して駆動する外回転式装置を構成する。
【００３９】
（第１０実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の片側にドライブプーリーを設置する、本発明の第１０実施形態を図１９に示す。図２０は本発明の図１９に示した実施形態の断面図である。
図１９及び図２０の中に示したオフセット部２００はＵ型に構成され、オフセット部２００を固定軸１０４に結合する。その延伸アーム１０５の両端を外回転式電気機械３００の固定される電気機械静止部３１１にある電気機械の軸３０１の両端に結合する。
【００４０】
また、外回転式電気機械３００が外回転する電気機械回転部３１２の片側にドライブプーリー４０３を設置し、及び同側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００４１】
（第１１実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の片側にドライブプーリーを設置する、本発明の第１１実施形態を図２１に示す。図２２は本発明の図２１に示した実施形態の断面図である。
図２１及び図２２の中に示したオフセット部２００は口型に構成され、オフセット部２００を固定軸１０４に結合する。その延伸アーム１０５の両端を外回転式電気機械３００の固定される電気機械静止部３１１にある電気機械の軸３０１の両端に結合する。
【００４２】
また、外回転式電気機械３００が外回転する電気機械回転部３１２の片側にドライブプーリー４０３を設置し、及び同側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００４３】
（第１２実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の片側にドライブプーリーを設置する、本発明の第１２実施形態を図２３に示す。図２４は本発明の図２３に示した実施形態の断面図である。
図２３及び図２４の中に示したオフセット部２００は一体式の固定軸１０４により貫通され、ホイールの両側の中央部にある軸孔１０２に設置し、及び固定軸１０４を通過するブレーキードラム１０１の内部の軸段にオフセット部２００を結合し、オフセット部２００の延伸アーム１０５を外回転式電気機械３００の固定される電気機械静止部３１１にある電気機械の軸３０１の両端に結合する。
【００４４】
外回転を示す電気機械回転部３１２の駆動軸とブレーキードラム１０１の転動する固定軸１０４を異なる軸にオフセットして装着し、電気機械回転部３１２の片側にドライブプーリー４０３を設置し、及び同側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００４５】
上述の固定軸１０４を通過するブレーキードラム１０１の内部の軸段にオフセット部２００を結合し、一個または一個以上の外部に向かって径方向に放射状に延伸するオフセット部２００により構成されることができる。一個または一個以上の外回転式電気機械３００を個別に設置し、また外回転式電気機械の電気機械回転部３１２の同片側にドライブプーリー４０３を個別に設置し、共同に同辺に設置されるブレーキードラム１０１の内側にあるリング状の内ドライブプーリー４０２とカップリングし、及び電気機械回転部３１２の外部に同じ軸のリング状の外ドライブプーリー４１３を個別に設置し、共同して外回転式装置１００の径方向の内環空間に設置するリング状の内ドライブプーリー４１２とカップリングすることにより、複合的な電気機械と共同して駆動する外回転式装置を構成する。
【００４６】
（第１３実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の両側にドライブプーリーを設置する、本発明の第１３実施形態を図２５に示す。図２６は本発明の図２５に示した実施形態の断面図である。
図２５及び図２６の中に示したオフセット部２００はＵ型に構成され、オフセット部２００を固定軸１０４に結合する。その延伸アーム１０５の両端を外回転式電気機械３００の固定される電気機械静止部３１１にある電気機械の軸３０１の両端に結合する。
【００４７】
また、外回転式電気機械３００が外回転する電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００４８】
（第１４実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の両側にドライブプーリーを設置する、本発明の第１４実施形態を図２７に示す。図２８は本発明の図２７に示した実施形態の断面図である。
図２７及び図２８の中に示したオフセット部２００は口型に構成され、オフセット部２００を固定軸１０４に結合する。その延伸アーム１０５の両端を外回転式電気機械３００の固定される電気機械静止部３１１にある電気機械の軸３０１の両端に結合する。
【００４９】
また、外回転式電気機械３００が外回転する電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００５０】
（第１５実施形態）
外回転式電気機械３００の電気機械回転部の外殼の周辺にリング状の外ドライブプーリー４１３を設置し、また外回転式装置１００にリング状の内ドライブプーリー４１２を設置し、及びブレーキードラム１０１と外回転式電気機械の外殻の両側にドライブプーリーを設置する、本発明の第１５実施形態を図２９に示す。図３０は本発明の図２９に示した実施形態の断面図である。
図２９及び図３０の中に示したオフセット部２００は一体式の固定軸１０４により貫通され、ホイールの両側の中央部にある軸孔１０２に設置し、及び固定軸１０４を通過するブレーキードラム１０１の内部の軸段にオフセット部２００を結合し、オフセット部２００の延伸アーム１０５を外回転式電気機械３００の固定される電気機械静止部３１１にある電気機械の軸３０１の両端に結合する。
【００５１】
外回転を示す電気機械回転部３１２の駆動軸とブレーキードラム１０１の転動する固定軸１０４を異なる軸にオフセットして装着し、電気機械回転部３１２の両側にドライブプーリー４０３を設置し、及び両側のブレーキードラム１０１の内側にある固定軸１０４を軸心としてリング状の内ドライブプーリー４０２を設置し、二者がカップリングすることにより、伝動装置を構成する。及び電気機械回転部３１２の外部に同じ軸のリング状の外ドライブプーリー４１３を設置し、外回転式装置１００の径方向の内環空間に設置するリング状の内ドライブプーリー４１２とカップリングすることにより、外回転式電気機械の電気機械回転部３１２と外回転式装置間の伝動装置を構成する。上述のドライブプーリー４０３とリング状の内ドライブプーリー４０２とリング状の内ドライブプーリー４１２と同じ軸のリング状の外ドライブプーリー４１３は、ギアまたは摩擦輪により構成されることを含む。上述の伝動装置の伝動段数は一段または一段以上にすることができる。
【００５２】
上述の固定軸１０４を通過するブレーキードラム１０１の内部の軸段にオフセット部２００を結合し、一個または一個以上の外部に向かって径方向に放射状に延伸するオフセット部２００により構成されることができる。一個または一個以上の外回転式電気機械３００を個別に設置し、及び個別の外回転式電気機械の電気機械回転部３１２の両側に、ドライブプーリー４０３を個別に設置し、共同に両側に設置されるブレーキードラム１０１の内側にあるリング状の内ドライブプーリー４０２とカップリングし、及び電気機械回転部３１２の外部に同じ軸のリング状の外ドライブプーリー４１３を個別に設置し、共同して外回転式装置１００の径方向の内環空間に設置するリング状の内ドライブプーリー４１２とカップリングすることにより、複合的な電気機械と共同して駆動する外回転式装置を構成する。
【００５３】
前述の各実施形態において、その外回転式電気機械３００とブレーキードラム１０１は、通風冷却のニーズにより、密閉式または開放式を選択することができる。
外回転式電気機械３００及びブレーキードラム１０１の中の一つは開放式構成である。
または、外回転式電気機械３００及びブレーキードラム１０１の二者は共に密閉式である。
または、外回転式電気機械３００及びブレーキードラム１０１の二者は共に開放式である。
【００５４】
（効果）
上述のように本発明の外回転式装置は、外回転式装置を含む外回転式電気機械のオフセット装着により外回転式装置を駆動する。その構成はオフセット部と外回転式電気機械と伝動装置により構成され、外回転式装置はブレーキードラム部を有し、ブレーキードラム回転用の固定軸を設置し、またブレーキードラムの内部にオフセット部を設置し、オフセット部は一個または一個以上の延伸アームを放射状に設置し、一個または一個以上の駆動軸とブレーキードラム回転用の固定軸の外回転式電気機械をオフセットして装着し、また外回転式電気機械の外殻にギアまたは摩擦輪を含む同じ軸のドライブプーリーを設置し、ブレーキードラムの内部にリング状の内ドライブプーリーとカップリングすることにより、外回転式電気機械の電気機械回転部と外回転式装置間の伝動機能を構成し、その中の個別の電気機械回転部のドライブプーリーとカップリングし、ブレーキードラムの内部にリング状の内ドライブプーリーを設置し、外回転式装置と共同して駆動する。
これにより、本発明の外回転式装置では、力率を高めることができる。
【符号の説明】
【００５５】
１００・・・外回転式装置
１０１・・・ブレーキードラム
１０２・・・軸孔
１０３・・・軸受
１０４・・・固定軸
１０５・・・延伸アーム
２００・・・オフセット部
３００・・・外回転式電気機械
３０１・・・電気機械軸
３１１・・・電気機械静止部
３１２・・・電気機械回転部
３２０・・・電源導線
４０２・・・リング状の内ドライブプーリー
４０３・・・ドライブプーリー
４１２・・・リング状の内ドライブプーリー
４１３・・・リング状の外ドライブプーリー
【図１】
2011069493.tif 000003
【図２】
2011069493.tif 000004
【図３】
2011069493.tif 000005
【図４】
2011069493.tif 000006
【図５】
2011069493.tif 000007
【図６】
2011069493.tif 000008
【図７】
2011069493.tif 000009
【図８】
2011069493.tif 000010
【図９】
2011069493.tif 000011
【図１０】
2011069493.tif 000012
【図１１】
2011069493.tif 000013
【図１２】
2011069493.tif 000014
【図１３】
2011069493.tif 000015
【図１４】
2011069493.tif 000016
【図１５】
2011069493.tif 000017
【図１６】
2011069493.tif 000018
【図１７】
2011069493.tif 000019
【図１８】
2011069493.tif 000020
【図１９】
2011069493.tif 000021
【図２０】
2011069493.tif 000022
【図２１】
2011069493.tif 000023
【図２２】
2011069493.tif 000024
【図２３】
2011069493.tif 000025
【図２４】
2011069493.tif 000026
【図２５】
2011069493.tif 000027
【図２６】
2011069493.tif 000028
【図２７】
2011069493.tif 000029
【図２８】
2011069493.tif 000030
【図２９】
2011069493.tif 000031
【図３０】
2011069493.tif 000032